(57)【要約】      （修正有）【課題】ケースを装着した携帯端末の状態で、係止して片手で支持して使用できる携帯端末保持用ストラップを提供する。【解決手段】携帯端末保持用ストラップ１は、細幅で薄厚のリボン状２であって、長手方向の両端部は先鋭端３に形成されている。ストラップの端部近傍の裏面に接着テープ４が接着されている。一方の端部をケース５のカメラホール６に通し、他方の端部はケースの下辺を巻き込み、夫々ケースの内面に回し、各端部近傍の裏面に設けた接着テープでケース内面に当着して固定する。【選択図】図２
0003225864.tif 000002
【実用新案登録請求の範囲】
【請求項１】
細幅で薄厚のリボン状であって、長手方向の両端部は先鋭端に形成されており、端部近傍の裏面に接着テープが設けられており、カメラホールを利用してケースに係止することを特徴とする携帯端末保持用ストラップ。
【請求項２】
長手方向の両端が斜めに切断された先鋭端であることを特徴とする請求項１に記載の携帯端末保持用ストラップ。
【請求項３】
細幅で薄手のリボン状であって、非伸縮性であることを特徴とする請求項１又は２に記載の携帯端末保持用ストラップ。
【考案の詳細な説明】
【技術分野】
【０００１】
本考案は携帯端末のケースに設けたカメラホールを利用してケースに係止して片手で支持して使用する携帯端末保持用ストラップに関するものである。
【背景技術】
【０００２】
スマートフォン等の携帯端末を片手で支持することを目的とすることに関して、例えば、実用新案登録第３１３５７７８号公報では、伸縮性のある部材を使用した携帯電話機用ストラップを携帯電話機上部のストラップ取り付け穴に取り付けておき、ストラップ他端に備えられた着脱自在の固定用フックを携帯電話機下部の端面に接続することで携帯電話機とストラップの間に手を入れて支持できるようにした構成を開示している。
【０００３】
また、実用新案登録第３１９７９２２号公報では、タブレット端末のコーナー部に着脱可能に係合させうる係合部と、前記係合部に接合されて前記タブレット端末の裏面側に配置されるストラップ部とを備え、親指で前記タブレット端末の側端部から前記タブレット端末の表面部側を保持すると共に同一の手の他の指を前記ストラップ部に挿通させた状態で前記タブレット端末の裏面部を保持して前記タブレット端末を片手で支持することが開示されている。
【０００４】
さらに、実用新案登録第３２０３４３８号公報では、略直方体状の外観を呈し、携帯情報端末が装着可能な支持具本体と、前記支持具本体の一端部側に枢着され、当該支持具本体の裏面側で回動可能なグリップとを備え、前記グリップが所定の回動位置で保持されるようにした構成が開示されている。
【先行技術文献】
【特許文献】
【０００５】
【特許文献１】実用新案登録第３１３５７７８号公報
【特許文献２】実用新案登録第３１９７９２２号公報
【特許文献３】実用新案登録第３２０３４３８号公報
【考案の概要】
【考案が解決しようとする課題】
【０００６】
上記先行文献１及び同２は携帯端末にストラップを直接取り付けることを特徴とし、また先行文献３は携帯端末に装着可能とした支持具を特徴とするものである。
ところで、近時は、本体の保護や装飾趣味に各種のケースを装着することが盛んに行われているため、上記先行文献を用いる事ができなくなっている。
【０００７】
そこで、ケースを装着した携帯端末の状態で、係止して片手で支持して使用する携帯端末保持用ストラップが要望されている。
本考案は斯かる携帯端末保持用ストラップを提供せんとするものである。
【課題を解決するための手段】
【０００８】
本考案の請求項１の携帯端末保持用ストラップは、細幅で薄厚のリボン状であって、長手方向の両端部は先鋭端に形成されており、端部近傍の裏面に接着テープが設けられており、カメラホールを利用してケースに係止することを特徴とするものである。
【０００９】
請求項２の考案は、請求項１に記載の考案において、長手方向の両端が斜めに切断された先鋭端であることを特徴とするものである。
【００１０】
請求項３の考案は、請求項１又は２に記載の考案において、細幅で薄手のリボン状であって、非伸縮性であることを特徴とするものである。
【考案の効果】
【００１１】
本考案の携帯端末保持用ストラップは携帯端末のケースに巻き付ける形で使用でき、細幅で薄厚のリボン状であるため、一方の端部を前記ケースのカメラホールに通し、他方の端部はケース下辺を巻き込んで夫々ケースの裏面に回し、各端部近傍の裏面の接着テープでケースの内面の自由な位置に当着して固定することができる。
【００１２】
カメラホールに通す際にストラップの長手方向の両端が先鋭端であるため挿通が容易であり、カメラホールに通すことで位置が特定されるため、ケースの形状にとらわれないフレキシブルで安定した固定が可能である。
長手方向の両端が斜めに切断された先鋭端とすることで、容易に先鋭端を形成できる。
【００１３】
薄厚のリボン状のストラップであるから、ケースの内面に端部側が当着されても、ケースが弾力性を有することと相俟って携帯端末への装着に支障が生じることはない。
ワイヤレス充電に干渉しない仕様となり、Ｑｉ充電にも支障なく対応できる。
【００１４】
ストラップが非伸縮性であれば、ケースに固定したストラップに指を入れて携帯端末を片手で安定した保持が可能であり、ＰＣのディスプレイにかけてサブ画面替わりにして使用することもできる。
【図面の簡単な説明】
【００１５】
【図１】本考案の携帯端末保持用ストラップを示す図である。
【図２】本考案の一実施の態様を示す使用状態図である。
【考案を実施するための形態】
【００１６】
本考案の実施の形態を図面に基づいて説明する。
図面は本考案の携帯端末保持用ストラップ１の一実施の形態を示すもので、細幅で薄厚のリボン状２であって、長手方向の両端部は先鋭端３に形成されており、端部近傍の裏面に接着テープ４が接着されている。
【００１７】
リボン状２は、幅が１０ｍｍ〜１５ｍｍ、長さは３００ｍｍ〜３５０ｍｍ程度で、非伸縮性及び／又は伸縮を抑えた組織とした薄い織布が好適である。
両端部の先鋭端３は斜めに切断することで、容易に先鋭端を形成できるけれども、これに限定されるものでなく、幅の中央に突起状の先鋭端を形成してもよい。
【００１８】
接着テープ４は両面テープを利用すれば、リボン状２の裏面への付着も、ケース５の裏面への当着も容易である。
【００１９】
本考案の携帯端末保持用ストラップ１は携帯端末のケース５へ巻き付ける形で使用する。
細幅で薄厚のリボン状であるため、一方の端部を前記ケース５のカメラホール６に通し、他方の端部はケース５の下辺を巻き込み、夫々ケース５の内面に回し、各端部近傍の裏面に設けた接着テープ４でケース５内面に当着して固定する。
【００２０】
ケース５への巻き付けは、ケースの外側面と当該面に沿うストラップ部に指が入るほどの余裕を持たせて、カメラホール６及びケース５の下辺を通過し、ケース５の内の面の自由な位置に固定する。
さすれば、ケース５の形状にとらわれないフレキシブルな固定が可能であり、リボン状２のストラップ１であるから、従来のスマホリングの厚さもなく、ワイヤレス充電に干渉しない構成となる。
【００２１】
ケース５に固定したストラップ１に指を入れて携帯端末を片手で保持する使用に加えて、ＰＣのディスプレイにかけてサブ画面替わりにして使用することもできる。
【００２２】
以上説明した本考案の技術的範囲は、上記の実施の形態例に限定されるものではなく、本明細書及び図面に記載した事項から明らかになる本考案が真に意図する技術的思想の範囲全体に、広く及ぶものである。
【符号の説明】
【００２３】
１  ストラップ
２  リボン状
３  先鋭端
４  接着テープ
５  ケース
６  カメラホール
【図１】
0003225864.tif 000003
【図２】
0003225864.tif 000004